(57)【要約】【課題】直感的に保存などの操作が出来るタッチパネルを用いた表示装置を実現する。【解決手段】文字情報及びまたは画像情報を表示するタッチパネルを用いた表示装置であって、前記タッチパネルの表示画面に、保存または削除すべき少なくともひとつの文字情報及びまたは画像情報が格納されたファイルを表示するファイル表示領域と、少なくともひとつの保存媒体を表示する保存媒体表示領域を設け、指またはタッチペンによりドラッグ＆ドロップして前記ファイル表示領域に表示したファイルを前記保存媒体表示領域に表示した保存媒体に保存するようにした。【選択図】      図１
2008171099.tif 000002
【特許請求の範囲】
【請求項１】
文字情報及びまたは画像情報を表示するタッチパネルを用いた表示装置であって、前記タッチパネルの表示画面に、保存または削除すべき少なくともひとつの文字情報及びまたは画像情報が格納されたファイルを表示するファイル表示領域と、少なくともひとつの保存媒体を表示する保存媒体表示領域を設け、指またはタッチペンによりドラッグ＆ドロップして前記ファイル表示領域に表示したファイルを前記保存媒体表示領域に表示した保存媒体に保存するようにしたことを特徴とするタッチパネルを用いた表示装置。
【請求項２】
前記タッチパネルの表示画面にゴミ箱の表示領域を設け、前記削除すべき文字情報及びまたは画像情報が格納されたファイルを指またはタッチペンにより前記ゴミ箱にドラッグ＆ドロップして前記ファイル表示領域に表示したファイルを移動するようにしたことを特徴とする請求項１に記載のタッチパネルを用いた表示装置。
【請求項３】
前記タッチパネルの表示画面に前記保存または削除すべく選択されたファイルの内容を表示するファイル内容表示領域を設けたことを特徴とする請求項１又は２に記載のタッチパネルを用いた表示装置。
【請求項４】
前記保存または削除すべく選択されたファイルは他のファイルと区別して表示することを特徴とする請求項３に記載のタッチパネルを用いた表示装置。
【請求項５】
前記タッチパネルの表示画面に前記保存媒体に保存したファイルの種類を表示するファイル表示領域を設けたことを特徴とする請求項１乃至４に記載のタッチパネルを用いた表示装置。
【請求項６】
前記タッチパネルの表示画面に前記ゴミ箱に移動したファイルの種類を表示するファイル表示領域を設けたことを特徴とする請求項１乃至５に記載のタッチパネルを用いた表示装置。
【請求項７】
文字情報及びまたは画像情報を表示するタッチパネルを用いたテレビジョン受像機であって、受信可能な複数のテレビ局を表示するテレビ局表示領域と、選択された一つの局の時間毎の番組内容を表示する番組内容表示領域と、表示された番組の内容を録画するための少なくとも一つの保存媒体を表示する保存媒体表示領域を設け、前記番組内容表示領域に表示された番組の内容を指またはタッチペンによりドラッグ＆ドロップし、前記保存媒体にリアルタイム若しくは録画予約として録画するようにしたことを特徴とするタッチパネルを用いた表示装置。
【請求項８】
前記録画すべく選択された番組は他の番組と区別して表示することを特徴とする請求項７に記載のタッチパネルを用いた表示装置。
【請求項９】
前記タッチパネルの表示画面に前記保存媒体に録画した番組の内容を表示する保存内容表示領域を設け、前記保存媒体に録画した番組の内容を表示するようにしたことを特徴とする請求項７または８に記載のタッチパネルを用いた表示装置。
【請求項１０】
前記タッチパネルの表示画面にゴミ箱の表示領域を設け、前記録画した番組を指またはタッチペンにより前記ゴミ箱にドラッグ＆ドロップして前記番組を移動するようにしたことを特徴とする請求項７乃至９に記載のタッチパネルを用いた表示装置。
【請求項１１】
前記タッチパネルの表示画面に前記ゴミ箱に移動した番組の内容を表示する番組内容表示領域を設けたことを特徴とする請求項１０に記載のタッチパネルを用いた表示装置。
【発明の詳細な説明】
【技術分野】
【０００１】
本発明は、例えばパソコンで作成した文字情報や画像情報またはテレビ番組の内容をＣＤなどの保存媒体に保存する場合に用いて好適なタッチパネルを用いた表示装置に関する。
【背景技術】
【０００２】
図４乃至図５はマイクロソフト社のウインドーズ画面におけるパソコンのデータをＣＤ−Ｒに保存するための手順の一例を示す図である。
はじめに、図４に示すように、保存すべきファイルにマウスのポインタを合わせ、左ボタンを押しながらマイドキュメントの中の「ＣＤドライブ（Ｆ）」までポインタを持っていって合わせ、その部分で左ボタンを離しドラッグ＆ドロップする。
【０００３】
次に、図５に示すようにＣＤドライブの項目にポインタを合わせて右クリックし、表示された「これらのファイルをＣＤに書き込むの項目」にポインタを合わせて左クリックする。すると、図６に示すような「ＣＤ書き込みウィザード」の画面が開くので、ボリュームラベルを入力しその名前でファイルを入力する。
なお、タッチパネルを用いて文字情報や画像情報を保存するための先行技術としては例えば下記の特許文献に示されたものがある。
【０００４】
【特許文献１】特開２０００−５６８９９５号公報
【特許文献２】特開２００２−１７５１４２号公報
【発明の開示】
【発明が解決しようとする課題】
【０００５】
ところで、上述の従来例においては、データをＣＤ−Ｒに保存するだけのために、複数の複雑な手順を必要とし、マウスでメニューを呼び出したりなどの操作が要求される。
このような、単に必要なデータを保管するだけの操作に過ぎなくても、パソコンの操作に習熟していない子供、老人、パソコン初心者などには操作が難しすぎるという課題があった。
【０００６】
従って、本発明の目的は、パソコンの初心者や老人などでも簡単で、直感的に保存などの操作が出来るタッチパネルを用いた表示装置を実現することにある。
【課題を解決するための手段】
【０００７】
本発明は上記問題点を解決するためになされたもので、請求項１記載のタッチパネルを用いた表示装置においては、
文字情報及びまたは画像情報を表示するタッチパネルを用いた表示装置であって、前記タッチパネルの表示画面に、保存または削除すべき少なくともひとつの文字情報及びまたは画像情報が格納されたファイルを表示するファイル表示領域と、少なくともひとつの保存媒体を表示する保存媒体表示領域を設け、指またはタッチペンによりドラッグ＆ドロップして前記ファイル表示領域に表示したファイルを前記保存媒体表示領域に表示した保存媒体に保存するようにしたことを特徴とする。
【０００８】
請求項２においては、請求項１に記載のタッチパネルを用いた表示装置において、
前記タッチパネルの表示画面にゴミ箱の表示領域を設け、前記削除すべき文字情報及びまたは画像情報が格納されたファイルを指またはタッチペンにより前記ゴミ箱にドラッグ＆ドロップして前記ファイル表示領域に表示したファイルを移動するようにしたことを特徴とする。
【０００９】
請求項３においては、請求項１又は２に記載のタッチパネルを用いた表示装置において、
前記タッチパネルの表示画面に前記保存または削除すべく選択されたファイルの内容を表示するファイル内容表示領域を設けたことを特徴とする。
【００１０】
請求項４においては、請求項３に記載のタッチパネルを用いた表示装置において、
前記保存または削除すべく選択されたファイルは他のファイルと区別して表示することを特徴とする。
【００１１】
請求項５においては、請求項１乃至４に記載のタッチパネルを用いた表示装置において、
前記タッチパネルの表示画面に前記保存媒体に保存したファイルの種類を表示するファイル表示領域を設けたことを特徴とする。
【００１２】
請求項６においては、請求項１乃至５に記載のタッチパネルを用いた表示装置において、
前記タッチパネルの表示画面に前記ゴミ箱に移動したファイルの種類を表示するファイル表示領域を設けたことを特徴とする。
【００１３】
請求項７においては、タッチパネルを用いた表示装置において、
文字情報及びまたは画像情報を表示するタッチパネルを用いたテレビジョン受像機であって、受信可能な複数のテレビ局を表示するテレビ局表示領域と、選択された一つの局の時間毎の番組内容を表示する番組内容表示領域と、表示された番組の内容を録画するための少なくとも一つの保存媒体を表示する保存媒体表示領域を設け、前記番組内容表示領域に表示された番組の内容を指またはタッチペンによりドラッグ＆ドロップし、前記保存媒体にリアルタイム若しくは録画予約として録画するようにしたことを特徴とする。
【００１４】
請求項８においては、請求項７に記載のタッチパネルを用いた表示装置において、
前記録画すべく選択された番組は他の番組と区別して表示することを特徴とする。
【００１５】
請求項９においては、請求項７または８に記載のタッチパネルを用いた表示装置において、
前記タッチパネルの表示画面に前記保存媒体に録画した番組の内容を表示する保存内容表示領域を設け、前記保存媒体に録画した番組の内容を表示するようにしたことを特徴とする。
【００１６】
請求項１０においては、請求項７乃至９に記載のタッチパネルを用いた表示装置において、
前記タッチパネルの表示画面にゴミ箱の表示領域を設け、前記録画した番組を指またはタッチペンにより前記ゴミ箱にドラッグ＆ドロップして前記番組を移動するようにしたことを特徴とする。
【００１７】
請求項１１においては、請求項１０に記載のタッチパネルを用いた表示装置において、
前記タッチパネルの表示画面に前記ゴミ箱に移動した番組の内容を表示する番組内容表示領域を設けたことを特徴とする。
【発明の効果】
【００１８】
以上説明したことから明らかなように本発明によれば、次のような効果がある。
請求項１，２に記載の発明によれば、
タッチパネルの表示画面に、保存または削除すべき少なくともひとつの文字情報及びまたは画像情報が格納されたファイルを表示するファイル表示領域と、少なくともひとつの保存媒体を表示する保存媒体表示領域を設け、指またはタッチペンによりドラッグ＆ドロップして前記ファイル表示領域に表示したファイルを前記保存媒体表示領域に表示した保存媒体に保存するようにしたので、複雑な操作を覚えることなく、直感的な操作で確実なデータの保存が可能である。
【００１９】
請求項２に記載の発明によれば、
タッチパネルの表示画面にゴミ箱の表示領域を設け、前記削除すべき文字情報及びまたは画像情報が格納されたファイルを指またはタッチペンにより前記ゴミ箱にドラッグ＆ドロップして前記ファイル表示領域に表示したファイルを移動するようにしたので、複雑な操作を覚えることなく、直感的な操作で確実なデータの削除が可能である。
【００２０】
請求項３に記載の発明によれば、
前記タッチパネルの表示画面に前記保存または削除すべく選択されたファイルの内容を表示するファイル内容表示領域を設けたので、ファイルの内容を確認しながら保存または削除を行うことができる。
【００２１】
請求項４に記載の発明によれば、
保存または削除すべく選択されたファイルは他のファイルと区別して表示するので、どのファイルを保存または削除するのかを確実に認識することができる。
【００２２】
請求項５に記載の発明によれば、
タッチパネルの表示画面に保存媒体に保存したファイルの種類を表示するファイル表示領域を設けたので、どのファイルを保存したかを確認することができる。
【００２３】
請求項６に記載の発明によれば、
前記タッチパネルの表示画面に前記ゴミ箱に移動したファイルの種類を表示するファイル表示領域を設けたので、どのファイルを削除したかを確認することができる。
【００２４】
請求項７に記載の発明によれば、
文字情報及びまたは画像情報を表示するタッチパネルを用いたテレビジョン受像機であって、受信可能な複数のテレビ局を表示するテレビ局表示領域と、選択された一つの局の時間毎の番組内容を表示する番組内容表示領域と、表示された番組の内容を録画するための少なくとも一つの保存媒体を表示する保存媒体表示領域を設け、番組内容表示領域に表示された番組の内容を指またはタッチペンによりドラッグ＆ドロップし、保存媒体にリアルタイム若しくは録画予約として録画するようにしたので、複雑な操作を覚えることなく、直感的な操作で確実な録画が可能である。
【００２５】
請求項８に記載の発明によれば、
録画すべく選択された番組は他の番組と区別して表示するので、どの番組を録画するのかを確実に認識することができる。
【００２６】
請求項９に記載の発明によれば、
タッチパネルの表示画面に保存媒体に録画した番組の内容を表示する保存内容表示領域を設け、前記保存媒体に録画した番組の内容を表示するようにしたので、どの番組のどのような内容のものを保存したかを確認することができる。
【００２７】
請求項１０に記載の発明によれば、
タッチパネルの表示画面にゴミ箱の表示領域を設け、録画した番組を指またはタッチペンによりゴミ箱にドラッグ＆ドロップして番組を移動するようにしたので、どの番組を消去しようとしているかを確認することができる。
【００２８】
請求項１１に記載の発明によれば、
タッチパネルの表示画面にゴミ箱に移動した番組の内容を表示する番組内容表示領域を設けたので消去しようとしている番組の内容を確認することができる。
【発明を実施するための最良の形態】
【００２９】
図１は本発明の一実施例を示すタッチパネルを用いた表示装置の正面図である。図において、左上部の（イ）で示す領域は保存ファイルの一覧を示す領域であり、ここでは、Ａ〜Ｈと名づけられた８種類のファイルが表示されている。そして、画面では“Ａ”のファイルが指でタッチされ、その部分の色が反転した状態となっている。
【００３０】
（ロ）で示す右上部の領域はファイル“Ａ”の詳細内容を示す領域であり、選択した“Ａ”のファイルに何が書かれているかが表示され、内容を確認することができる。
【００３１】
（ハ）で示す中央左の領域は保存する媒体の種類を示す領域であり、ここではＨＤＤ，ＣＤ，プリンタが表示されている。そして、ここではＨＤＤが選択され、その部分の色が反転した状態となっている。
（二）で示す中央右の領域は保存媒体（ここではＨＤＤ）にどのような種類のファイルが保存されているのかを確認できるようになっている。
【００３２】
（ホ）で示す左下部の領域はゴミ箱を示す領域であり、領域（イ）の中のファイルで削除すると判断されたファイルが保存されている。
（ヘ）で示す右下部の領域はゴミ箱にどのような種類のファイルが保存されているのかを確認できるようになっている。
【００３３】
上述のタッチパネル画面において、指でタッチして反転した“Ａ”のファイルをタッチした状態のままＨＤＤと表示された保存媒体まで持ってきてそこで指を離すと、保存が完了する。
同様に“Ｂ”のファイルをタッチした状態のままゴミ箱と表示されたところまで持ってきてそこで指を離すと、ゴミ箱への移動が完了する。
【００３４】
図２は本発明のタッチパネルを用いた表示装置の要部の機能ブロック図（a）及び動作のフローを示す図（ｂ）である。
図２（ａ）において、ＣＰＵ１にＢＵＳ８が接続され、ＢＵＳ８には各種の入出力端末が接続されている。図では、インターフェース回路２を経由してタッチパネル３、インターフェース回路４が接続されており、このインターフェース回路４経由で画面５、ハードディスク６、ＣＤ−Ｒ７が接続されている。
【００３５】
図２（ｂ）のフローの（イ）において、操作者によりタッチパネルの保存／ゴミ箱と表示されたアイコンが押圧されると、図１に示すタッチパネル画面が表示される。
そして、フローの（ロ）において、図１に示すような保存されたものの一覧表上に割り当てられたタッチパネル上のアドレスのどの部分が押されたかの信号がＣＰＵに割り込みとして入力される。
【００３６】
割り込み信号が入力されると、フローの（ハ）において、そのアドレスの場所に応じた処理（反応、表示など）が行われる。具体的には、例えば図１に示す“Ａ”の部分をタッチすると、そのアイコン（例えばファイル）が画像反転や色彩変化などで強調表示され、そのファイルの内容が右側の上部の表示領域に表示される。そして、アイコンを指やタッチペン等によりドラックすると、その動作を示す点線などの軌跡が画面に表示される。
【００３７】
次に、フローの（ニ）において、出力先のアイコン上で離されたかどうかをタッチパネルの信号から検出し、データをその部分（ＨＤＤ、ＣＤ−Ｒなど）に保存する操作をプログラムによって行う。それと共に、その出力先の内容を読み出して中央右側の画面に表示する。
データがゴミ箱に捨てられた場合も同様に、内容を表示し、そのファイルをゴミ箱に移動する操作を行う。
【００３８】
図３は他の実施例を示すもので、この例では、テレビ画面上にタッチパネルが取り付けられている。この場合も機能ブロック図及び動作のフローは図２に示すものと同様である。即ち、画面左上側に複数のテレビ局が表示されており、画面右上側に選択した局の例えば一日、または一週間の番組詳細が表示される。
【００３９】
操作者は、まずテレビ局を選択し、次に画面右上側に表示された番組表の中から選択した所望の番組のタイトルに指またはタッチペンでタッチし、前述と同様タッチしたままで画面左中央に表示されたＨＤＤやＤＶＤなどの保存媒体の上までもってきてドロップする。その場合、番組内容はリアルタイムの録画も可能であり、また、番組表と連携する機能を設けることにより将来の番組の録画も可能である。
【００４０】
ＨＤＤやＤＶＤなどの保存媒体の内容を消去したい場合は、ＨＤＤやＤＶＤなどの保存媒体の上を指またはタッチペンでタッチすると、タッチした保存媒体に保存された番組のタイトルが画面右中央に表示される。操作者は表示された番組のタイトルをタッチアンドドラッグによりゴミ箱に移動させる。
【００４１】
このように本発明によれば、現在行われているタイマー録画などの複雑な操作を行うことなく、見たい番組を直感的に確実に録画することが可能である。
【００４２】
なお、以上の説明は、本発明の説明および例示を目的として特定の好適な実施例を示したに過ぎない。本実施例では保存媒体としてＨＤＤ、ＤＶＤ、ＣＤ−Ｒ、テープを示したがメモリステック、ＭＯなどであってもよく、パソコンなどでは印刷についても直感的に操作可能である。従って本発明は、上記実施例に限定されることなく、その本質から逸脱しない範囲で更に多くの変更、変形を含むものである。
【図面の簡単な説明】
【００４３】
【図１】本発明の一実施例を示すタッチパネルを用いた表示装置の正面図である。
【図２】タッチパネルを用いた表示装置の要部の機能ブロック図（a）及び動作のフローを示す図（ｂ）である。。
【図３】他の実施例を示すタッチパネルを用いた表示装置の正面図である。
【図４】従来例を示す説明図である。
【図５】従来例を示す説明図である。
【図６】従来例を示す説明図である。
【符号の説明】
【００４４】
１  デバイス
２  ピックアップノズル
３  ポケット
４  ヒータ
５  シート
６  ねじ
【図１】
2008171099.tif 000003
【図２】
2008171099.tif 000004
【図３】
2008171099.tif 000005
【図４】
2008171099.tif 000006
【図５】
2008171099.tif 000007
【図６】
2008171099.tif 000008